(57)【特許請求の範囲】
【請求項１】
手が入るように一端が開口した開口部が形成され、一方に親指が入るように親指挿入ホームが形成された第1挿入部と、上記第1挿入部の他方に残りの4指が入るように第2挿入部が形成されるように、二枚重ねのシートを手袋形態に接着させ、
縁にシールド部を形成すると同時に上記二枚重ねのシートによって形成された内部空間に１つの吸着体だけが上記シールド部でのみ固定され、二枚重ねのシートによって形成される内部面の何れにも付着しないため、開口部内において吸着体と二枚のシート何れかとの間で、左手または右手の何れかの手の甲に用いることが可能な、
手の甲部位の肌を管理するための手袋形態のハンドパック用具。
【請求項２】
上記第2挿入部が、4本の指をそれぞれ挿入することができるそれぞれの挿入ホームで形成された５本指手袋形態または、一体に形成されたミトン形態であることを特徴とする、請求項１記載の手袋形態のハンドパック用具。
【請求項３】
上記吸着体が、不織布または綿織物であることを特徴とする、請求項１記載の手袋形態のハンドパック用具。
【請求項４】
上記シートが、透明または半透明のビニール製または銀箔ビニール製であることを特徴とする、請求項１記載の手袋形態のハンドパック用具。
【発明の詳細な説明】
【技術分野】
【０００１】
本発明は、手部位、特に手の甲部位の肌の改善などの要求に適切に答えられる手袋形態のハンドパック(pack)用具に関するものである。
【背景技術】
【０００２】
近来では、女性たちが顔や肌の管理のために化粧原料と補湿用水分が含有されている湿布剤と不織布及び剥離紙からなるマスクパックを使用して、一定時間顔に付着してから剥がして、顔や肌の補湿と栄養供給をして肌を柔らかくきれいに管理している。
【０００３】
また、最近では、顔面美容だけに使用が限られていたマスクシートを首部位を専門的に管理することができる首専用マスクシート(mask sheet)を使用することにより、身体の露出部位の中で特に首部分の肌の改善及びしわの改善などの要求に適切に答えられるようになった。
【発明の開示】
【発明が解決しようとする課題】
【０００４】
このような皮膚の美容管理道具は、顔面及び首部位専用であり、露出頻度が一番高い手部位を管理することができる道具が求められている。
【０００５】
本発明は、上記の求めに着眼して案出されたものである。本発明の目的は、手部位、特に手の甲部位の肌に補湿及び栄養供給して肌を柔らかくきれいに管理するために、手部位専用手袋形態のハンドパック(pack)用具を提供することである。
【課題を解決するための手段】
【０００６】
上記目的を達成するための本発明のハンドパック(pack)用具は、手が入いるように一端が開口した開口部が形成され、一方に親指が入いるように親指挿入ホームが形成された第1挿入部と、上記第1挿入部のもう一方に残りの4本の指が入いるように第2挿入部が形成されるように二枚重ねのシートが手袋形態に接着されると同時に、上記二枚重ねのシートによって形成された内部一面に吸着剤を付着した手袋形態のハンドパック用具として構成する。特に、上記第2挿入部は、4本の指をそれぞれ挿入できるそれぞれの挿入ホームに形成したり、一体のミトン形態に形成したりすることができ、通常の5本指の手袋またはミトン形態の湾曲部に形成することができる。また、皮膚の美容改善のための各種化粧原料を吸着させられる上記吸着体には、不織布または綿織物を使用できる。また、本発明によれば、手袋形態のハンドパック用具開口部は、開閉部をさらに含むことができ、開閉部の密着によって手袋形態のハンドパック用具内部に密閉空間を形成することができる。上記吸着体に皮膚の美容改善用途の薬剤を前もって吸着させないで、着用者が選択した皮膚の美容薬剤を後で投入することもできる。本発明による手袋形態のハンドパック用具形成シートは、製作上有利な透明または半透明のビニール製または銀箔ビニール製が好ましい。
【発明の効果】
【０００７】
着用者が手の甲の肌マッサージをする場合、本発明によるパック用具を簡便に着用することにより、外部環境に露出しないままで手の甲の肌美容効果を得ることができ、手袋形態で構成されたハンドパック用具を着用した状態でも一定の手作業などが可能である。特に一定部分密閉されたハンドパック用具による保温効果によりさらに改善された皮膚の美容効果を得ることができる。
【発明を実施するための最良の形態】
【０００８】
以下、本発明の好ましい実施例を添付図面を参照して詳しく説明する。
【０００９】
図1は、本発明による右手用ハンドパック用具を図示したものである。これを参照すると、本発明によるミトン形態のハンドパック用具1は、第1挿入部10及び一体の第2挿入部20に大別され、第1挿入部10及び第2挿入部20の延長部には手が入いるように一端が開口した開口部40が形成される。上記第1挿入部には親指が入いる挿入ホームが形成されて、第2挿入部には残り4指が入る挿入ホームが一体に形成される。一方、上記第1挿入部及び第2挿入部上面、すなわちハンドパック用具内部上面には上記挿入部の形状と類似の湾曲形態の吸着体30が付着している。上記吸着体には、皮膚美容効果がある化粧品原料及び水分を添加、吸着させることができる。挿入部は、湾曲形状が好ましいが、これに限定されない。図2は、図1の切取線A-Aでの断面図を図示したものである。
【００１０】
上記実施例は、吸着体30がハンドパック用具内部上面に付着した右手用ヘンドパック用具実施例を言及したものであるが、これに限定されない。詳細には、図3及び図4を参照すると、上記吸着体30はパック用具内部一面に付着せずに、手袋湾曲部と等しい形状の不織布または綿織物から選択して、吸着体30の縁部位がパック用具を構成する2重のシートとシールド部23でのみ接着させて構成することができる。ゆえに、吸着体は上記パック用具内部一面に付着するのではなく、シールド部で固定されて内部空間に中間に位置する構成であり、手を挿入する位置を選択することにより右手用または左手用ハンドパックとして使用できる。
【００１１】
図5は、本発明による右手用5本指手袋(以下、「５指手袋」と略する)形態のハンドパック用具を例示したものでこれを参照すると、本発明による５指手袋形態のハンドパック用具1'は、第1挿入部10'及び第2挿入部20'からなり、第2挿入部には親指以外の4指が挿入できるように指形態のそれぞれの挿入ホーム21'を形成して、上記第1挿入部10'及びそれぞれの挿入ホーム21'の形状と類似の湾曲形態の吸着体30'がハンドパック用具内部上面に付着する。上記吸着体には、皮膚の美容効果がある化粧品原料及び水分を容易に添加、吸着、含浸できることは勿論である。
【００１２】
図6は、本発明による他の実施例として右手用ミトン形態のハンドパック用具の開口部に開閉手段を含んだパック用具を図示したのである。これを参照すると、本発明によるミトン形態のハンドパック用具1は、第1挿入部10及び一体の第2挿入部20で構成され、第1挿入部10及び第2挿入部20延長部には手が入るように一端が開口した開口部40を形成でき、上記開口部一端がお互いに対向する面にジッパークリップ(チャック)50を具備し、開口部を自由に開口密閉できる構成である。一方、上記第1挿入部及び第2挿入部上面、すなわちパック用具の内部上面には、上記挿入部形状と類似の湾曲形態の吸着体30"が付着されるが、上記吸着体は皮膚の美容効果がある化粧品原料及び水分が未添加の純粋な吸着体で構成することができる。上記ジッパークリップ(チャック)装着の手袋形態のハンドパック用具の使用において、着用者は上記ジッパークリップ(チャック)を開いて好みの化粧品原料などを選択的に投入して上記吸着体30"に吸着させて使用することにより、着用者主体の手袋形態のハンドパック用具が提供される。上記ジッパークリップ(チャック)は、開口部開閉手段として例示したものであり、もちろんその他の接着方式、例えばマジックファスナー（商標）やストリングス式など通常的な開閉手段によって構成できる。
【００１３】
本発明による手袋形態のハンドパック用具製造方法を図2及び図4を参照して簡略に説明すると、パック用具の外形を構成する2枚のビニール21、22を準備して、ビニール21としては一面に不織布30が接着されたビニールを準備する。上記2枚のビニールを重ねる。ここで、上記不織布がビニール間に挟まれるように重畳させて、接合器によって開口部を除いた手袋外周を高周波接合して両ビニールの縁部23をシールドすることによりハンドパックミトンまたは５指手袋を完成することができる。一方、図4で図示された両手用ハンドパック用具の場合には、用具外形を構成する2枚のビニール21、22及び同一形状の不織布30を準備して重畳させる。ここで、上記不織布30が両ビニール間に挟まるように挿入して、接合器によって開口部を除いた用具の全外周を高周波接合して手袋形状のビニール及び不織布の開口部を除いた縁部全体にシールド部23を形成する。上記不織布30は、ビニール一面に接着されることなしに単にシールド部によってのみ固定することにより、着用者が手を挿入する位置を選択することによって左右を自由に選べるミトンまたは５指手袋形態の両手用ハンドパック用具を完成することができる。
【００１４】
上記実施例は、本発明の目的を果たすための好ましい実施の形態を例示したもので、これから派生され得る多様な変形を排除したものではない。例えば、本発明で手を挿入する開口部の構成において、手袋形態のハンドパック用具製作時には、密封状態に製造することができ、使用時に封切りして開口部を形成することができることは勿論である。本発明による手袋形態のハンドパック用具の構成は、窮極的に開口部が形成されているが、これは実使用上で要請される最終的な構成を言及したものであり、製作販売する場合、開口部は一時的に密閉された状態に製作することもできる。
【図面の簡単な説明】
【００１５】
【図１】本発明によるミトン形態のハンドパック用具の概略構成図である。
【図２】図１の切取線A-Aでの断面図を図示した図である。
【図３】本発明による他のミトン形態のハンドパック用具の概略構成図である。
【図４】図２の切取線B-Bでの断面図を図示した図である。
【図５】本発明による5指手袋形態のハンドパック用具の概略構成図である。
【図６】本発明による開閉手段が付着したミトン形態のハンドパック用具を説明するための図面である。
【符号の説明】
【００１６】
1:ハンドパック用具
10:第1挿入部
20:第2挿入部
30:吸着体
40:開口部
50:ジッパークリップ(チャック)
【図１】
0004564463.tif 000002
【図２】
0004564463.tif 000003
【図３】
0004564463.tif 000004
【図４】
0004564463.tif 000005
【図５】
0004564463.tif 000006
【図６】
0004564463.tif 000007